Podtech/llm-jp-corpus-v4-ja_patent huggingface dataset:
(57)【特許請求の範囲】
【請求項１】
円筒形フレキシブルチューブもしくはパイプ又は丸棒の端末を押圧することにより変形させ、受け側は該フレキシブルチューブの端末の変形された形状を収納する空隙部を設けたケースで構成されている物品であって、受け側のケースを上下ケースの嵌め合わせで構成し、両ケースの接合部分にフレキシブルチューブの挿入口である該フレキシブルチューブ円筒外径に相当する穴を設け、該フレキシブルチューブの端末の変形された部分を収納する空隙部に変形された形状に沿って該フレキシブルチューブ挿入方向より該フレキシブルチューブの押圧により、一方向は拡張、一方向は絞り込み形状に変形された変形形状に合わせた一定角度の差込方向に抜けないテーパー構造を有する事を特徴とする物品。
【発明の詳細な説明】
【０００１】
【産業上の利用分野】
本発明はフレキシブルチューブまたはパイプの端末に配置する金具あるいはプラスチック等のケースの固定方法を開示する。
【０００２】
【従来の技術及び発明が解決しようとする課題】
従来、フレキシブルチューブまたはパイプの端末に金具あるいはプラスチック等のケースを設置する場合接着（図１）もしくはカシメの方法（図２）が用いられてきた。接着の場合ディスペンサーを用いると機器のランニングコストがかかり、手作業の場合は大変時間がかかる。いずれの場合もフレキシブルチューブの方向へ接着剤がはみ出す可能性がありはみ出したままだと外観上見苦しく拭き取る工程が必要となる。カシメの場合はプラスチックの製品には適応できない。金具の場合は量産には有利となるが、カシメた部分が外観に現れるため製品の高級感を損なう恐れがある。
【０００３】
【課題を解決するための手段】
本考案は図３に示すように円筒形フレキシブルチューブ１の端末を押圧することにより変形させ、受け側は上ケース６、下ケース７の嵌め合わせで構成し該フレキシブルチューブの端末の変形された形状を収納する空隙部４を設けている。フレキシブルチューブ及び上下ケースの固定において内側に嵌め込み用の突起５を設けまたは内側にネジをきっているリング３を用いて、中にフレキシブルチューブを通過させ上下ケースにおいて構成された該突起を受ける溝８またはネジで閉め込むことにより固定する。この場合該フレキシブルチューブと該ケースの接合部は該フレキシブルチューブの端末のつぶされた形状に沿っているため外周方向（Ａ方向）に該フレキシブルチューブが回ってしまうことはない。また該フレキシブルチューブの引き抜き方向（Ｂ方向）に力が加わった場合でも該ケースより抜けてしまうことはない。該ケース内部に当てつけ８を設けることにより差込方向（Ｃ方向）にも動くことはない。また該フレキシブルチューブのつぶされた部分を収納するケースの空隙部分を図４に示すようなテーパ１２をとった構造にすると当てつけが無くてもＣ方向には動かない。以上の構造によりフレキシブルチューブにどのような方向から力が加わっても固定することが可能となる。
【０００４】
【発明の効果】
従来までの接着による方法では作業に大変時間がかかっていたが本発明の方式を用いることにより大幅に作業時間を短縮することが出来量産においてコストメリットが出る。また接着に於いてはフレキシブルチューブあるいはケース側に外観等の不良が発見された場合分解して不良部品を取り替えることは困難であるが、本発明に於いては可能となる。またケース内部の通電不良等の検査も分解して容易にできる。
【図面の簡単な説明】
【図１】  従来までの接着による方式。
【図２】  従来までのカシメによる方式。
【図３】  本発明における方式１。
【図４】  本発明における方式２。
【符号の説明】
▲１▼フレキシブルチューブ  ▲２▼フレキシブルチューブ端末変形部  ▲３▼リング  ▲４▼収納空隙部  ▲５▼嵌め込み用突起  ▲６▼上ケース  ▲７▼下ケース  ▲８▼突起受け溝  ▲９▼受け板  ▲１０▼コード通し穴  ▲１１▼テーパ
【図１】
0004243743.tif 000002
【図２】
0004243743.tif 000003
【図３】
0004243743.tif 000004
【図４】
0004243743.tif 000005